(57)【特許請求の範囲】
【請求項１】
断熱部材からなる保温シートを備えたコンクリート養生マットであって、
前記マットは、透孔部を備えるとともに、該透孔部には、前記マットが設置されるコンクリートの表面側にテープないしシート状の温度表示部材及び湿度表示部材を備えた透明性のスペーサ部材が嵌め込まれており、前記スペーサ部材は、前記透孔部を閉鎖し、前記透孔部に適合する大きさの中空状に形成されてなることを特徴とする、コンクリート養生マット。
【請求項２】
前記スペーサ部材は、前記透孔部に着脱可能に嵌め込まれている、請求項１に記載のコンクリート養生マット。
【発明の詳細な説明】
【技術分野】
【０００１】
本発明は、コンクリート構造物の鉛直面及び水平面等の養生に用いられるコンクリート養生マットに関する。
【背景技術】
【０００２】
コンクリートの養生は、打設後の所定期間、コンクリートの表面の湿度及び温度を適切な状態に保つとともに、外気条件である外気温度による寒暖差、日射、風等からコンクリート面を保護するものであり、耐久性、水密性等の品質を確保し、有害なひび割れを生じさせないようにする上で重要である。
特許文献１には、「組み立てられた型枠の少なくとも一部に透明又は半透明部分を設けるとともに、該透明又は半透明部分のコンクリート打設面側に、温度変化を表示する温度表示部材を密着設置したことを特徴とするコンクリート打設用型枠。」（特許請求の範囲）が記載されている。この型枠は、コンクリート構造物を構築する際の型枠の脱枠時期を定量的に知ることを目的としている。
特許文献２には、「養生用シート本体に偏平状の温度計を取付けたことを特徴とするコンクリート製品養生用シート。」が記載されている（実用新案登録請求の範囲）。同考案は、プレキャストコンクリート製品の養生用のものであり、それによれば、養生シート本体の外方からシート内の温度を視認することができ、シート内の温度管理が容易となり、適切な養生管理を行うことができる。シートとしてテント地などを用いている。
また、打設後のコンクリートの表面にマットを設置し、養生を行う場合においては、特許文献３に記載のように、「型枠内に打設後のコンクリートを電熱養生シートで覆うことによりコンクリートの加熱養生を行う場合において、前記電熱養生シートの内側のコンクリート養生温度及び外気温を検出する温度検出部と、該温度検出部からの出力信号を温度表示信号に変換して出力する信号処理部と、該信号処理部からの温度表示信号に従ってコンクリート養生温度及び外気温を表示する表示部とを備えたことを特徴とするコンクリート養生温度監視装置。」が知られている。同発明によれば、コンクリート養生温度が最適な温度で一定に保たれているかを視覚的に監視することができる。
しかしながら、同発明は、電熱養生シートにより型枠を覆い、電熱養生シートを加熱制御することによりコンクリートを所定温度で養生するものであり、ヒータを内蔵した電熱養生シートを用いるとともに、温度検出部、信号処理部、表示部を備えた電気的な専用の監視装置であり、設置が簡単ではなく、装置も高価であり、多数の箇所に設置することは現実的に困難であり、簡単に実施し得るものではない。
【先行技術文献】
【特許文献】
【０００３】
【特許文献１】特開平１０−８２１７２号公報
【特許文献２】実開昭６２−７９８４１号公報
【特許文献３】特開２００１−２０５２４号公報
【発明の概要】
【発明が解決しようとする課題】
【０００４】
本発明は、上記従来技術における不都合を考慮してなされたものであり、養生マットに覆われたコンクリート表面の温度及び湿度状態の目視による確認が、手間をかけずに、いつでも容易に可能であり、かつコストも低廉に製造可能なコンクリート養生マットを提供することを課題とする。
【課題を解決するための手段】
【０００５】
（１）断熱部材からなる保温シートを備えたコンクリート養生マットであって、
前記マットは、透孔部を備えるとともに、該透孔部には、前記マットが設置されるコンクリートの表面側にテープないしシート状の温度表示部材及び湿度表示部材を備えた透明性のスペーサ部材が嵌め込まれており、前記スペーサ部材は、前記透孔部を閉鎖し、前記透孔部に適合する大きさの中空状に形成されてなることを特徴とする、コンクリート養生マットである。
（２）前記スペーサ部材は、前記透孔部に着脱可能に嵌め込まれているコンクリート養生マットである。
【発明の効果】
【０００６】
（１）本発明によれば、養生マットによるコンクリート面の養生が適切に行われるとともに、養生マットに覆われたコンクリート表面の温度及び湿度状態の目視による確認（可視化）が、手間をかけずに、いつでも容易に可能であり、また、その製造も容易かつ低コストですみ、取扱性・作業性（施工性）も良好であり、多数の箇所に設置して測定が可能であり、品質管理レベルを向上させることができる。
また、前記スペーサ部材は、前記透孔部を閉鎖し、前記透孔部に適合する大きさの中空状に形成されてなる構成により、コンクリートの表面はスペーサ部材によって遮断され、スペーサ部材により、コンクリート表面の温度・湿度状態が外気の影響を受けることがなく、直接に温度・湿度状態を的確に視認することができる。
（２）前記スペーサ部材は、前記透孔部に着脱可能に嵌め込まれている構成により、スペーサ部材は、使用後にマットから外すことができ、簡単に再使用、繰り返し使用ができるため、経済的でかつ省資源の見地からも有益である。
【図面の簡単な説明】
【０００７】
【図１】コンクリート養生マット１がコンクリートＣに設置されている状態を示すもので、（ａ）は断面図、（ｂ）は正面図である。
【図２】コンクリート養生マット１がコンクリートＣに設置されている状態を示す断面図である。
【図３】コンクリート養生マット１がコンクリートＣに設置されている状態を示す断面図である。
【図４】コンクリート養生マット１がコンクリートＣに設置されている状態を示す断面図である。
【図５】コンクリート養生マット１がコンクリートＣに設置されている状態を示す断面図である。
【発明を実施するための形態】
【０００８】
本発明の実施例を挙げ、図面を参照して説明するが、本発明は以下の形態に限定されるものではない。
【実施例】
【０００９】
＜マットの概要＞
本発明に係るコンクリート養生マット１は少なくとも、断熱部材からなる保温シートを備えてなる。以下、望ましいコンクリート養生マット１の構成を例示して説明する。
図１に示すとおり、コンクリート養生マット１は、水を吸収して湿潤する湿潤材を含む保湿シート１０と、断熱部材からなる保温シート２０とを備えてなる。例えば、保湿シート１０と保温シート２０とは、積層状態に直接、接着一体化されてなる。保湿シート１０と保温シート２０は、それぞれ均一な厚みに形成され、コンクリート養生マット１も全体として均一な厚みを有している。
例えば、保湿シート１０と保温シート２０の面同士が互いに全面にわたって接着一体化される。
また、接着は、接着剤を用いて接着するほか、接着剤を用いない熱溶着その他の溶着により行うことがより好ましい。熱ラミネーションによる積層一体化は好ましい一態様である。
コンクリート養生マット１は、例えば、幅４５ｃｍ〜１ｍ程度の長尺物としてロールに巻回されて流通する。
【００１０】
＜保湿シート＞
保湿シート１０は、水を湿潤状態に保持可能なシート状物である。その機能水準としては、養生中コンクリート表面の相対湿度が８０.０％以上で７日間程度保持されるものが望ましい。後述する保温シート２０と接着可能に形成されたものを用いるとよい。
保湿シート１０は、単数層、複数層のいずれによって構成されていてもよい。
【００１１】
保湿シート１０としては、合成繊維不織布・織布や、これを基材シートとして高分子吸収体を固定したもの、又は繊維に一体化したもの等を用いることができる。上記不織布としては、ポリエステル又はアクリル・レーヨン不織布などを用いることができる。
上記高分子吸収体としては、ポリアクリル酸ナトリウム等のポリアクリル酸系、カルボキシメチルセルロース等のセルロース系などが挙げられる。
ポリアクリル酸ナトリウムは、自重の４００倍の吸水性能を有しており、従来の湿潤養生マットが構成材料自体に保水性がなく、保水層の空隙中に保水するのに対して、水を取り込み、取り込まれた水は圧力や重力によって排出されにくく、時間経過と共に徐々に緩やかに放散されるため、好適である。
また、前記基材シートには、後述する保温シートと接着される側の面に非通水性の膜を形成し、非通水性の膜と不織布又は織布との積層体からなるシートとして用いることができる。
非通水性の膜には、ポリエチレンフィルム等の合成樹脂フィルム、その他種々のメンブレンを用いることができる。
このような構成とすることにより、後に接着一体化される保温シート２０への保湿シート１０からの水分の浸透を防止できるとともに、保温シート２０と同類の素材を使用することにより、接着一体化の際のバインダーの役割を果たすことができる等の利点がある。
保湿シート１０の厚みは限定されないが、好ましくは１〜３ｍｍ程度である。
【００１２】
＜保温シート＞
保温シート２０を形成する断熱部材は、上記保湿シート１０と直接、接着可能なものであり、コンクリート養生において必要な所定の保温、断熱性能を備えたものである。
好ましい保温、断熱性能としては、理論値として、熱伝導率で０．０２０〜０．０５５Ｗ／（ｍ・Ｋ）、熱伝達率で０．５〜３．５Ｗ／（ｍ2・Ｋ）である。
保温シート２０を形成する断熱部材としては、ロール状に巻回することの可能な柔軟性を有する、軟質樹脂発泡体を用いることができる。
軟質樹脂発泡体としては、独立気泡構造のものが好適に用いられる。
例えば、軟質な独立気泡構造の発泡ポリエチレン、発泡ポリプロピレン、発泡ウレタン等が挙げられる。
中でも、低熱伝導率（例えば、０．０３０〜０．０４５Ｗ／（ｍ・Ｋ））で、クッション性、耐水性、耐久性等が良好である点で、発泡ポリエチレンが好ましく用いられる。
軟質樹脂発泡体の発泡倍率は、通常１０〜５０程度、好ましくは３０〜５０である。
保温シート２０の厚みは限定されないが、好ましくは７〜５０ｍｍ程度である。
【００１３】
＜バリエーション＞
図２は、保温シート２０が、発泡倍率の異なる軟質樹脂発泡体の２層からなり、保湿シート側の層２１を高発泡倍率とし、他の層２２を保湿シート側の層２１よりも低発泡倍率の層とした例を示す。
例えば、保湿シート側の層２１を４０〜５０の発泡倍率、他の層２２を３０〜４０未満の発泡倍率とした、発泡ポリエチレン等が好ましい一例として挙げられる。
【００１４】
図３は、保温シート２０の外表面に、耐水性を有する熱反射層３０を設けた例を示すものである。熱反射層３０は、厚み７〜２０μｍ程度のアルミ蒸着材又はアルミ箔が望ましい。アルミ箔は物理的に損傷しやすいため、又アルカリ水で溶出するため、ポリエステル、ポリエチレン等の合成樹脂フィルムで外面が被覆されているフィルムないしシートが望ましい。
熱反射層３０は、ラミネーション、接着剤等で、保温シート２０の外表面に適宜手段で積層一体化することができる。
【００１５】
＜スペーサ部材＞
前記のように構成された養生マット１には、該マット１を貫通する透孔部が設けられており、その透孔部には、スペーサ部材５０が嵌め込まれている。透孔部は、通常、養生マット１の長手方向に所定間隔をおいて設けられる。
スペーサ部材５０は、前記透孔部に適合する大きさに形成され、前記透孔部を閉鎖するものであり、例えば透明性の合成樹脂材で形成され、養生マット１に固定される。スペーサ部材５０の正面形状は円形、矩形等任意である。スペーサ部材５０の大きさは、例えば、厚さ１〜２ｃｍ程度（養生マット１の厚みと略同じとなるように形成するのが望ましい。）、正面形状が円形の場合、その直径は４〜８ｃｍ程度、正面形状が矩形の場合、各辺の大きさは、３〜８ｃｍ程度である。
図１〜３に示すスペーサ部材５０は、中空状（中空体）に形成されている例を示す。正面形状は前記のとおり、円形、矩形等任意であり、全体として円柱形、矩形箱形等に形成される。透孔部はスペーサ部材５０によって閉鎖され、コンクリートの表面はスペーサ部材５０によって遮断され、スペーサ部材５０によりコンクリート表面の温度・湿度状態が外気の影響を受けることがなく、直接に温度・湿度状態を的確に視認することができる。
図４に示すスペーサ部材５１は、保温シート側の天板部を有さず、全体として容器状の形態を有している例を示す。コンクリートの表面はスペーサ部材５１によって遮断され露出することがない。
スペーサ部材５０への養生マット１への固定は、接着その他の手段により固着するほか、前記透孔部に着脱可能に嵌め込むようにしてもよい。例えば、前記透孔部の平面形の輪郭より若干大きく形成されたスペーサ部材５０を透孔部に押し込むことにより容易に外れないように、かつ着脱可能とすることができる。スペーサ部材５０を透孔部に着脱可能とすることにより、スペーサ部材５０を使用後にマットから外すことができ、簡単に再使用、繰り返し使用ができるため、経済的でかつ省資源の見地からも有益である。
また、例えば、図５に示すように、養生マット１の透孔部の内周に雌ネジ部を形成し、ておき、正面形状が円形のスペーサ部材５０外周面にこの雌ネジ部に適合する雄ネジ部５０ａを形成し、スペーサ部材５０を養生マット１の透孔部に螺着することにより、着脱可能に嵌め込む形態とすることができる。この場合、養生マット１の透孔部に前記雌ネジ部が形成されるように養生マット１に孔を開けて養生マット１の一部分を切り取れば、その切り取った一部分を必要に応じて再度、前記透孔部を埋める形で戻すことができる。
その他、スペーサ部材５０の外周面に一又は複数の凸部を形成し、該凸部が前記透孔部の内周壁に嵌入するようにすることにより（図示省略）、不用意に外れにくい態様で着脱可能とすることができる。
そして、スペーサ部材５０は、前記保湿シート１０側に、テープないしシート状の温度表示部材６０及び湿度表示部材７０を備えている。スペーサ部材５０は、少なくとも温度表示部材６０及び湿度表示部材７０を備えた部位において該温度表示部材６０及び湿度表示部材７０を透視可能な透明性を有すればよい。
【００１６】
温度表示部材６０及び湿度表示部材７０は、夫々テープないしシート状の形態を備えており、スペーサ部材５０の前記保湿シート１０側の外面に貼り付け等の手段によって固定されている。温度表示部材６０及び湿度表示部材７０の正面形状や、互いの配置関係は任意である。
養生マット１をコンクリートＣの表面へ、保湿シート１０側をコンクリートＣの表面に当たるように設置することにより、温度表示部材６０及び湿度表示部材７０はコンクリートＣの表面に当接する。
温度表示部材６０としては、温度変化によって常時発色する可逆性のある材料が用いられる。例えば、温度変化によって変色する材料として可逆性サーモシートが挙げられるが、温度を数値でデジタルに表示するデジタルサーモシートを用いてもよい。
湿度表示部材７０としては、湿度変化によって変色する可逆性発色シートが好適に用いられる。例えば吸湿すると、色が濃くなる吸取紙が用いられる。また、湿度を６段階その他の複数段階で表示する発色紙等が用いられる。
【００１７】
＜使用方法＞
本発明に係るコンクリート養生マット１のコンクリートＣ表面への設置は、保湿シート１０側をコンクリートＣの表面に当て、常法にしたがって行えばよい。スペーサ部材５０，５１を介して温度表示部材６０及び湿度表示部材７０による温度・湿度状態を視認することができる。
【符号の説明】
【００１８】
Ｃ  コンクリート
１  コンクリート養生マット
１０  保湿シート
２０  保温シート
３０  熱反射層
５０，５１  スペーサ部材
６０  温度表示部材
７０  湿度表示部材
【図１】
0005926570.tif 000002
【図２】
0005926570.tif 000003
【図３】
0005926570.tif 000004
【図４】
0005926570.tif 000005
【図５】
0005926570.tif 000006